(57)【要約】【課題】ライン表示に加えて、装飾的な表示を実現できる導光体を提供することを目的とする。【解決手段】このライン照明表示装置は、導光体１と光源２とで構成されている。導光体１の２つの側面４，５に形成された第１反射部６，７と、導光体１の上面３に形成した溝部１０により、導光体１の上面３から長手方向Ｘに均一なライン状の光を射出するライン表示のみでなく、導光体１の底面８に形成された第２反射部９によって上面３に反射された出射光１９の傾きを、上面３に長手方向Ｘに間隔を空けて形成されたレンズ１３により、長手方向Ｘの位置に応じて異ならせることによって、上面３から導光体１を見る角度により輝点２５が長手方向Ｘに流れるように移動するように見え、装飾表示の自由を拡大させることができる。【選択図】図１
2016178046.tif 000002
【特許請求の範囲】
【請求項１】
一端から内部に入射した光を他端に向かって長手方向に光伝播させ、前記内部を光伝搬する途中に前記長手方向と交差する方向に光を出射する導光体であって、
長手方向と交差する方向の断面形状が、開口面を内側にして互いが底部で接続された放物線となる反射する２つの側面と、前記２つの側面の上部の間で光が出射する上面とで形成され、
前記２つの側面は、前記開口の焦点の位置が対向する前記側面の底部の位置である放物面で形成され、前記焦点には、前記光伝搬している光を対向する前記側面に反射させる第１反射部が形成され、
前記光伝搬している光を前記上面の側に反射させる第２反射部が、前記上面と対向する底面に前記長手方向に間隔を空けて形成され、
前記上面は、前記長手方向と交差する幅方向の中央が両側よりも低くなった溝部で形成され、
前記溝部には、前記第２反射部からの反射光の傾きを変更して前記出射光とするレンズが、前記長手方向に間隔を空けて形成されている、
導光体。
【請求項２】
前記第２反射部で反射して前記レンズを通過する前記出射光の光軸の角度を、前記長手方向の位置関係によって異ならせて輝点群によるパターンを形成した、
請求項１記載の導光体。
【請求項３】
前記底面に形成された前記第２反射部の前記長手方向の配置間隔と、前記上面に形成された前記レンズとの前記長手方向の配置間隔とが異なることを特徴とする、
請求項２記載の導光体。
【請求項４】
請求項１から３のいずれかに記載の導光体と、前記導光体へ光を入射させる光源とを備えた、
ライン照明表示装置。
【発明の詳細な説明】
【技術分野】
【０００１】
本発明は、自動車や住宅などの装飾用の照明表示を行うライン照明表示装置に関するものである。
【背景技術】
【０００２】
従来のライン照明表示装置は、例えば、特許文献１のようにＬＥＤ（発光ダイオード）を光源とし導光体を用いてライン照明表示を行っているものがある。図１７と図１８は、特許文献１に記載されたライン照明表示装置である。
【０００３】
図１７はライン照明表示装置の全体図の断面であり、図１８は、図１７のＥ部の拡大図である。３１は光源であり、３２は導光体である。３３は前面カバー、３４はリフレクタである。光源３１の射出光は、導光体３２の端面より入射し導光体３２の内部を全反射しながら伝播する光線３５となる。光線３５は、導光体３２に形成されたプリズム３６に入射して反射し導光体３２より射出する光線３７となる。光線３７は、導光体３２の上面、すなわち、プリズム３６が形成された導光体３２の底面の反対面より射出する。プリズム３６は導光体３２の光伝播方向に形成されており、プリズム３６からの射出光によりライン状の光が形成される。
【先行技術文献】
【特許文献】
【０００４】
【特許文献１】特開２０１１−２１６２７９号公報
【発明の概要】
【発明が解決しようとする課題】
【０００５】
この従来の構成では、プリズム３６によりライン状に発光させることができるが、ライン状の発光のみでは変化に乏しく、装飾用の照明表示として見栄えを大きく変えることが困難であるという課題を有している。
【０００６】
本発明は、ライン表示に加え装飾的な表示を行える導光体およびライン照明表示装置を提供することを目的とする。
【課題を解決するための手段】
【０００７】
上記目的を達成するために、本発明の導光体は、一端から内部に入射した光を他端に向かって長手方向に光伝播させ、前記内部を光伝搬する途中に前記長手方向と交差する方向に光を出射する導光体であって、長手方向と交差する方向の断面形状が、開口面を内側にして互いが底部で接続された放物線となる反射する２つの側面と、前記２つの側面の上部の間で光が出射する上面とで形成され、前記２つの側面は、前記開口の焦点の位置が対向する前記側面の底部の位置である放物面で形成され、前記焦点には、前記光伝搬している光を対向する前記側面に反射させる第１反射部が形成され、前記光伝搬している光を前記上面の側に反射させる第２反射部が、前記上面と対向する底面に前記長手方向に間隔を空けて形成され、前記上面は、前記長手方向と交差する幅方向の中央が両側よりも低くなった溝部で形成され、前記溝部には、前記第２反射部からの反射光の傾きを変更して前記出射光とするレンズが、前記長手方向に間隔を空けて形成されていることを特徴とする。
【０００８】
また、本発明のライン照明表示装置は、上記の導光体と、前記導光体へ光を入射させる光源とを備えたことを特徴とする。
【発明の効果】
【０００９】
この構成によると、導光体の断面形状を、２つの側面と、前記２つの側面の上部の間の上面とで形成するとともに、前記導光体の端面より光を入光し、前記２つの側面に形成された第１反射部と前記側面とで、前記上面に長手方向と交差する幅方向の中央が両側よりも低く形成された溝部より光を射出して均一なライン発光を実現できる。
【００１０】
さらに、前記導光体の底面に形成された第２反射部によって反射された光を、前記溝部に配置したレンズを介して特定の方向のみに指向性の高い光を射出することで、導光体の長手方向に光量が均一なライン状の照明表示を行うと共に、前記導光体を見る角度により輝点の発光パターンが変化する装飾用のライン照明表示を実現できる。
【図面の簡単な説明】
【００１１】
【図１】本発明の実施の形態のライン照明表示装置における（ａ）光源と導光体のうちの導光体を長手方向に切断したＸＹ断面図と（ｂ）長手方向とは交差する方向の導光体のＹＺ断面図
【図２】本発明の実施の形態のライン照明表示装置の（ａ）正面図と（ｂ）側面図
【図３】本発明の実施の形態のライン照明表示装置における導光体を（ａ）図２のＩ−Ｉから見た上面図と（ｂ）図２のII−IIから見た底面図
【図４】図１（ｂ）のＢ−Ｂの拡大断面図
【図５】図４の拡大図
【図６】放物面形状の側面４の焦点Ｇと側面４に対向する放物面形状の側面５に形成された側面プリズム６との関係を示すＹＺ断面図
【図７】ＸＹ断面における底面プリズムとレンズの位置関係を示す図
【図８】ＹＺ断面における側面プリズムおよび底面プリズムからの光線を示す図
【図９】ＹＺ断面における底面プリズムで反射して上面へ向かう光線を示す図
【図１０】（ａ）長手方向の断面図と（ｂ）視線方向による輝点状態を示す図
【図１１】側面プリズムの他の形状を示す拡大断面図
【図１２】側面プリズムの他の形状を示す拡大断面図
【図１３】レンズと底面プリズムとの対応の別の例を示す断面図
【図１４】レンズと底面プリズムとの対応の別の例を示す断面図
【図１５】導光体への両側にそれぞれ光源を配置したライン照明表示装置の別の実施例の説明図
【図１６】（ａ）本発明の実施の形態のライン照明表示装置の別の例を示す正面図と（ｂ）その側面図および（ｃ）図１５における導光体１をＸＹ面で緩やかな曲線と配置した場合の正面図
【図１７】特許文献１に記載されたライン照明表示装置の断面図
【図１８】図１７のＥ部の拡大図
【発明を実施するための形態】
【００１２】
以下、本発明の各実施の形態を図面に基づいて説明する。
なお、同じ構成要素については同じ符号を付けて、その説明を省略する。
図２（ａ）は、本発明の実施の形態の導光体１を使用したライン照明表示装置の正面図を示す。図２（ｂ）はその側面図を示す。導光体１は、アクリル、ポリカーボネート、ガラスなどの少なくとも屈折率ｎが１．４１より大きい透明な材質で成形されている。アクリルの屈折率ｎは、ｎ≒１．４９である。
【００１３】
ここでは、紙面右手方向をＸ軸方向とし、紙面上方向をＹ軸方向とし、紙面奥行き方向をＺ軸方向とする。導光体１は、Ｘ軸方向に光伝播するように長手方向が配置され、光源２に対向する導光体１の端面は、ＹＺ面に平行な平面である。
【００１４】
ライン照明表示装置は、導光体１の長手方向：Ｘの一端に拡散光を射出するＬＥＤなどの光源２を配置して構成されている。導光体１は、光源２からの入射光を、導光体１の他端に向かって導光体１の内部を全反射により光伝播させて、導光体１の上面３から外部へ光を出射する。
【００１５】
光源２の発光面は、少なくとも導光体１の光源２と対向する面よりも十分小さい。光源２からの射出光は、広がりの中心方向がＸ軸方向となるように配置されている。導光体１の長手方向：Ｘと交差する方向の断面形状は、開口面を内側にして互いが底部で接続された放物線となる曲面形状の２つの側面４，５と、２つの側面４，５の上部の間の上面３とで形成されている。側面４，５は、導光体１の側面の全反射面であり、ＹＺ断面において面法線はＸ軸と直交する。
【００１６】
図３（ａ）と図３（ｂ）に導光体１の上面図と底面図を示す。
導光体１の側面４，５の底部付近には、光伝搬している光を対向する側面に反射させる第１反射部としての側面プリズム６，７が、長手方向：Ｘに沿って形成されている。導光体１の底面８の上面３と対向する位置には、導光体１の内部を伝搬している光を上面３の側に反射させる第２反射部としての底面プリズム９が、長手方向：Ｘに間隔を空けて形成されている。
【００１７】
導光体１の上面３は、長手方向：Ｘと交差する幅方向：Ｚの中央が両側よりも低くなった溝部としてのＶ溝１０が、斜面１１，１２によって構成されている。Ｖ溝１０には、底面プリズム９からの反射光の傾きを変更してするレンズ１３が、長手方向：Ｘに間隔を空けて形成されている。この実施の形態のレンズ１３は、Ｚ軸方向に円筒軸をもつ円筒レンズである。
【００１８】
図１（ａ）は、図２（ｂ）のＡ−Ａ断面のＸＹ断面図を示す。図１（ｂ）は、導光体１の長手方向：Ｘとは交差するＹＺ断面図を示す。
斜面１１はＺ軸正方向の斜面、斜面１２はＺ軸負方向の斜面であり、斜面１１および斜面１２の面法線はＸ軸と直交する。
【００１９】
側面プリズム６は、側面５で底面８の近傍にＸ軸方向に配列して形成されており、側面プリズム６の斜面は、ＹＺ断面における側面５に沿って平行に形成されている。側面プリズム７は、側面４で底面８の近傍にＸ軸方向に配列して形成されており、側面プリズム７の斜面は、ＹＺ断面における側面４に沿って平行に形成される。
【００２０】
底面プリズム９は、側面プリズム６，７との間に配置され、底面８においてＸ軸方向に配列して形成されている。
図４は、図１（ｂ）におけるＢ−Ｂ断面で、側面５に形成された側面プリズム６の拡大図である。図５は、側面プリズム６の１個を拡大した図である。
【００２１】
図５に示すように側面プリズム６は、導光体１の内側に空気層で凹み形状を形成したプリズムであり、断面が曲線部１４と直線部１５で形成される。図４に示すように、側面プリズム６の深さＵは一定であり、側面プリズム６のピッチは光源２から遠ざかるに従い、間隔を狭くするようにしてライン表示照明の輝度が一定になるように配置される。すなわち、光源２の側から数えて第ｉ番目と第ｉ＋１番目との側面プリズム６の間隔をｐ（ｉ）とすると、
ｐ（ｉ） ＞ｐ（ｉ＋１）
となるように側面プリズム６が配置されている。側面プリズム７についても、側面プリズム６と同じ形状、間隔で配置されている。
【００２２】
図６は、導光体１のＹＺ面の断面図で、図１（ｂ）と同じ断面を示す。側面プリズム６は幅Ｗを有し、側面プリズム６の幅の中央付近に、対向する側面４の放物面の焦点Ｇが来るように形成されている。側面５に設けられた側面プリズム７も同じであって、側面プリズム７の幅の中央付近に、対向する側面５の放物面の焦点Ｇが来るように形成されている。
【００２３】
導光体１の屈折率をｎとし、導光体１の底面を含む非発光部の領域幅を２・Ｓとし、底面８の付近の非発光部から導光体１の中央における斜面１１および斜面１２までの距離をＨとすると、
ｔａｎ（α） ＝Ｓ／Ｈ
ｎ×ｓｉｎ（β０−α） ＝ ｓｉｎβ０
を満たすようなβ０に対して、斜面１１および斜面１２の水平面、すなわちＸＺ面におけるＺ軸からの傾斜角をβとすると、β ＞ β０となるように、傾斜角βを設定する。
【００２４】
なお、β０は、導光体１を正面から見た時に導光体中央に暗線が生じないための、斜面１１，１２のＺ軸からの傾斜角βの最小値である。
αを十分小さいとし、近似すると、
ｔａｎ（β０） ≒ ｎ×Ｓ ／（Ｈ×（ｎ−１））
である。
【００２５】
β ＞ β０とすることで、導光体１を正面、すなわち、Ｙ軸方向から見た時に、導光体１の底面を含む非発光部を隠し、中央に暗線が生じるのを防ぐ。
図７は、導光体１のＸＹ面の断面図で、図１（ａ）と同じ断面を示す。
【００２６】
底面８に形成された底面プリズム９は、導光体１の内側に空気層で凹み形状を形成したプリズムである。この底面プリズム９はＺ軸と平行な斜面１６，１７を有している。φ１は光源２に近い方（Ｘ軸負方向側）の斜面１７の底面８との傾斜角である。φ２は光源２に遠い方（Ｘ軸正方向側）の斜面１７の底面８との傾斜角で、導光体１のＸ軸正方向からの戻り光による正面方向、すなわちＹ軸方向に射出させないために小さな角度、たとえば、φ２＝１°〜１５°程度とする。
【００２７】
斜面１７の斜面中央からＹ軸方向に伸ばしたラインを鉛直軸１８とし、鉛直軸１８から光源側、すなわちＸ軸負方向へ角度θの方向を光軸１９とする。レンズ１３の中心は光軸１９上に配置され、レンズ１３の焦点は斜面１７の斜面中央位置にくるようにレンズ１３が形成される。斜面１７の底面８に対する傾斜角φ１は、φ１≒５０°のとき、斜面１７での反射光の広がりの中心が概ねＹ軸方向となるので、斜面１７の反射光がレンズ１３の方向に射出するように
φ１ ≒５０＋θ／２
となるような角度で形成される。
【００２８】
ＸＹ断面における底面プリズム９からレンズ１３を射出する光の広がり角を狭くするため、ＸＹ断面においてレンズ１３からみた斜面１７の幅ｄは十分に小さくなるように形成される。
【００２９】
以上のように構成されたライン照明表示装置および導光体の動作について説明する。
図１（ａ）において、光源２から射出された光線２０は、導光体１のＸ軸負方向の端面より入射し、導光体１の内部を全反射しながら、Ｘ軸正方向に光伝播する。導光体１に入射した光線２０のＸ軸に対する最大角度Ωは、臨界角と同じで、
Ω ＝ａｒｃｓｉｎ（１／ｎ）
である。導光体１の屈折率ｎがｎ＞１．４１のとき、Ω＜４５°となり、導光体１を形成するＸ軸方向の両端面を除く面、すなわち、側面４、側面５、底面８、上面の斜面１１、上面の斜面１２のそれぞれの面法線がＸ軸と直交しているので、各面への最大入射角ξは（９０°−Ω）となる。Ω＜４５°のとき、最大入射角ξ＞４５°となるので、導光体１を形成するＸ軸方向の両端面を除く面の臨界角より大きくなり、全反射となる。たとえば、導光体１の屈折率ｎがｎ＝１．４９のとき、約４２．２°であり、比較的広い広がりを持った光線が導光体１の内部を伝播する。
【００３０】
まず、側面プリズム６による導光体１のＸＹ面内での光射出について説明する。
図４において、導光体１の内部を伝播する光線２０の一部は、側面プリズム６で反射し光線２１となる。図５に示すように、側面プリズム６は、側面５に配置され、側面プリズム６の斜面は直線部１５と曲線部１４で形成されている。側面５に対して、直線部１５の傾斜角は曲線部１４の傾斜角より角度が大きくなるように形成されているため、傾斜角の大きな直線部１５で反射した光線は、曲線部１４で反射した光線より光源２側、すなわちＸ軸負方向の光線となる。傾斜角の小さな曲線部１４で反射した光は、光源２と反対側、すなわちＸ軸正方向に広がった光線となり、側面プリズム６の反射光全体として、Ｘ軸に垂直な方向を中心とした広がりのある光線２１となる。
【００３１】
図１（ａ）と図１（ｂ）において、側面プリズム６で反射した光線は、対向する側面４で全反射し、導光体１の上面の斜面１２からＹ軸正方向に射出する。光線２１は、Ｘ軸方向に広がりのある光線なので、導光体１をＹ軸方向からＸＹ面内で斜め方向から見た時でも、一様なライン発光として見える。
【００３２】
側面プリズム６により導光体１からの光が射出されることで、導光体１内を伝播する光量は徐々に低下していくが、光源２に近いほど側面プリズム６の間隔が粗く、遠ざかるほど側面プリズム６の間隔が狭くなっているので、Ｘ軸方向における導光体１から射出される光量はほぼ一定になる。側面プリズム７についても同様である。
【００３３】
側面プリズム６による導光体１のＹＺ面内での光射出についてさらに詳しく説明する。
図８は、導光体１のＹＺ面の断面図で、図６と同じ断面である。図９は、導光体１のＹＺ面の断面図で、図１（ｂ）と同じ断面である。
【００３４】
図８において、側面４の放物面の焦点Ｇが側面プリズム６の中央付近に配置されているので、側面プリズム６の中央近傍の焦点Ｇからの射出光は、側面４で反射するとＹ軸方向に対してαの角度の平行光に近い光線となる。側面４で反射した光線は、斜面１２で屈折し、Ｙ軸にほぼ平行な光線となる。側面プリズム６はＹＺ面において幅Ｗを有し、側面プリズム６の中央付近以外、すなわち、側面４放物面の焦点Ｇからずれた光線は、側面４で反射すると、Ｙ軸方向から角度αを中心に角度のずれた光線となり、概ね角度αを広がりの中心とした光線となる。斜面１２はＺ軸に対してβの傾斜を有し、Ｙ軸に対して角度αで入射する光線をＹ軸に平行な方向に屈折させるので、斜面１２の射出光は、Ｙ軸方向を中心にした広がりのある光線となる。
【００３５】
ＹＺ面において、側面４の反射光をＹ軸に対して角度αだけ傾斜させることで、Ｙ軸方向から見た時に、導光体１の底面８が見えないようになるため、導光体１の中央部が暗部にならず導光体１全体を一様に発光させることができる。また、レンズ１３が形成されていない領域に対して、底面８に形成された底面プリズム９も見えないので、底面プリズム９からの不要な光を遮断するように作用する。
【００３６】
次に、底面８に形成した底面プリズム９による輝点発光について説明する。
図７のＸＹ面において、導光体１を伝播する光線２０の一部の光線２２が底面８に形成された底面プリズム９に入射し、底面プリズム９の斜面１７で反射し、Ｙ軸方向からθの角度を中心とした光線となる。斜面１７の中央から角度θ方向には、レンズ１３が形成されている。レンズ１３の焦点は、斜面１７の中央近傍に配置されているので、斜面１７からの射出光は、レンズ１３によりほぼ平行光化され、Ｙ軸からθ方向に高い指向性をもつ光線として上面３から射出する。
【００３７】
図９のＹＺ面において、レンズ１３の円筒軸がＺ軸に平行なのでＹＺ面においてレンズ１３は曲率を持たず、底面プリズム９からの射出光線２２のうち、レンズ１３に入射した光線は、ほとんど角度を変えずＹ軸方向に射出する光線２３となる。
【００３８】
一方、底面プリズム９からの射出光線２２のうち、レンズ１３に入射せず斜面１１，１２に入射した光線は、斜面１１，１２の傾斜での屈折によりＹ軸方向に対して、大きく角度の付いた光線２４となる。このため、Ｙ軸方向から見たとき、底面プリズム９からの光は、レンズ１３のある領域だけが光り、それ以外の領域、すなわち斜面１１，１２部分は光らなくなる。よって、図７のＸＹ面において、Ｙ軸からθ傾いた光軸１９の方向のみに底面プリズム９による輝点が生じ、それ以外の角度では、輝点は見られない。輝点の見える方向は、光軸１９の方向、すなわち、レンズ１３と底面プリズム９との位置関係で決まるので、自由に方向を設定することができる。底面プリズム９の斜面１７からは、ある程度広がった光が射出するが、レンズ１３の領域以外は、Ｙ軸方向からＹＺ面内においてＺ軸方向に大きく傾いた光線となるので、レンズ１３の射出光の広がり角は極めて狭くすることができ、見栄えのよい輝点を形成できる。
【００３９】
図７において、斜面１７の中央からレンズ１３までの距離をｆ、レンズ１３から見た時の斜面１７の幅をｄとする。レンズ１３の焦点は、斜面１７の中央付近にあるので、斜面１７からの射出光は、レンズ１３で平行光化される。レンズ１３から見たときの発光面に大きさ、すなわち斜面１７の大きさにより、レンズ１３からの射出光はＸＹ面内において広がりを持ち、レンズ１３からの射出光の広がり角εは、おおよそ、
ε ＝２×ａｒｃｔａｎ（ ｄ／（２×ｆ））
となる。ただし、ａｒｃｔａｎは逆正接関数である。たとえば、ｄ＝０．３ｍｍ、ｆ＝６ｍｍとするとε＝２．９°となり、非常に狭い広がり角とできる。
【００４０】
一方、底面プリズム９の光源２と反対側の斜面１６と底面８との傾斜角φ２は、小さいので、導光体１のＸ軸正方向の端面の反射光など、光源２と反対側からの光が入ってきても、導光体１の上面、すなわちＹ軸正方向の面からＹ軸方向に光はほとんど漏れない。
【００４１】
図１０（ａ）と図１０（ｂ）は、導光体１を見る方向により輝点２５の発光状態が変化することを示す図である。図１０（ａ）は、図１（ａ）と同様にＸＹ断面を示す。図１０（ｂ）は、図１０（ａ）をＹ軸から光源方向に角度η傾いて見たときのＥ矢視図である。図１０（ｂ）の網掛け個所２６は長手方向：Ｘに光量が均一なライン状の範囲を示している。
【００４２】
図１０（ａ）においてレンズ１３は、光源２の側より底面プリズム９に対する光軸方向θがθ１，θ２，θ３，θ４となるように、底面８に形成された底面プリズム９の長手方向：Ｘの配置間隔と、上面３に形成されたレンズ１３との長手方向：Ｘの配置間隔とを異ならせて配置されている。レンズ１３からの射出光の広がり角をεとすると、
｜θｉ−θｊ｜ ＞ε
ただし、ｉ≠ｊ、ｉ＝１，２，３，４、ｊ＝１，２，３，４
とし、Ｙ軸に対するＸＹ面での視線方向の角度をηとすると、η＝θ１のときは、光軸がθ１の傾きのレンズ１３からの光のみが見え、他のθ２，θ３，θ４のレンズ１３からの光は見えない。η＝θ２、η＝θ３、η＝θ４の角度のときについても同様である。たとえば、
θ１ ＜θ２ ＜ θ３＜ θ４
となるように、レンズ１３の配置間隔を、底面プリズム９の配置間隔より小さくすることで、角度を少しずつ大きくすると、見る角度ηを変えたときに輝点２５が流れるように移動するように見える。つまり、導光体１が移動し視点（見る人）が固定の時に輝点２５が導光体１の長手方向を流れるように移動する。
【００４３】
なお、図１０において、レンズ１３および底面プリズム９を４個で図示したが、個数は、４個に限定されるものではない。また、θ１＞θ２＞θ３＞θ４と逆順にしてもよい。また、｜θｉ−θｊ｜ ＞εとし、導光体１を見る角度により１つだけの輝点が見えるようにしたが、｜θｉ−θｊ｜ ＜εとなる条件をいれて複数点の輝点が同時に見えるようにしてもよい。
【００４４】
なお、上記の各実施の形態の側面プリズム６は、それぞれ側面５の表面側の二つの直線部１５，１５の間に一つの曲線部１４を配置した断面形状に形成したが、、図１１に示すように、側面５の表面側の二つの曲線部１４，１４の間に一つの直線部１５を配置した断面形状に形成することもできる。さらに、図１１の曲線部１４は、側面５の表面側に近付く方向に湾曲した凸形状であったが、図１２に示すように、側面５の表面側から離れる方向に湾曲した凹形状で構成することもできる。側面プリズム７の場合も側面プリズム６の場合と同様である。
【００４５】
なお、上記の各実施の形態の底面プリズム９の斜面１７とレンズ１３とは１対１であったが、図１３に示すように、一つのレンズ１３に対して、複数の斜面１７，１７が対応するように底面プリズム９を配置してもよい。あるいは、一つの底面プリズム９の斜面１７からはある程度広がった光が射出するので、図１４に示すように、一つの底面プリズム９の斜面１７に対して、複数のレンズ１３を配置してもよい。このように配置することで、見る角度を少し変化させただけで、光が瞬くような状態を作ることができる。
【００４６】
なお、上記の各実施の形態の光源２は、導光体１の一端だけに配置されていたが、図１５に示すように、導光体１のそれぞれの端部に、光源２ａまたは光源２ｂを配置してもよい。この場合には、光源２ａに属する底面プリズム９と光源２ｂに属する底面プリズム９とで、導光体１における斜面１７の向きが異なる。つまり、光源２ａに属する底面プリズム９は、斜面１６，１７の内の発光させる面である斜面１７が斜面１６よりも光源２ａに近くなるように配置する。光源２ｂに属する底面プリズム９は、斜面１６，１７の内の発光させる面である斜面１７が斜面１６よりも光源２ｂに近くなるように配置する。
【００４７】
なお、上記の各実施の形態の導光体１は、Ｘ軸方向に平行な直線としたが、導光体１を伝播する光が漏れない範囲で緩やかな曲線としてもよい。たとえば、図１６（ａ）に示すように導光体１を曲線状に形成し、自動車のフロントグリルなどに配置してもよい。図１６（ａ）のライン照明表示装置は、２つの導光体１，１と２つの光源２，２とで構成されている。図１６（ｂ）は図１６（ａ）のＤ矢視図であり、導光体１を３次元的な曲線としてもよい。あるいは、図１６（ｃ）に示すように、両側に光源２を配置する構成において、導光体１を緩やかな曲線形状としてもよい。
【００４８】
なお、上記の各実施の形態では、側面プリズム６，７による導光体１から射出光のＸ軸方向の分布を一様としたが、輝度の強弱のパターンを形成してもよい。
なお、上記の各実施の形態の底面プリズム９の傾斜角φ２は、１°〜１５°程度であったが、導光体１のＸ軸正方向からの戻り光が十分小さくすることで、底面プリズム９の斜面１６の傾斜角φ２を１５°以上の大きな角度としてもよい。斜面１６の角度を大きくすることで、底面プリズム９のＸ軸方向の長さを短くできる。
【００４９】
なお、上記の各実施の形態では、導光体１のＸ軸正方向の端部に伝搬した光は、この端部から導光体１の外部へ出射して導光体１の内部に戻ることはなかったが、導光体１のＸ軸正方向の端部に反射板を配置して、この端部から導光体１の外部へ出射した光が反射板で反射させて導光体１の内部に戻すことによって、光利用効率を上げることができる。
【００５０】
なお、上記実施の形態の各実施の形態の導光体１に、さらに側面４と側面５にＸ軸方向に平行な浅い円筒面を形成して光拡散させて、ＹＺ面における光の広がりを広げても良い。
【００５１】
なお、上記の各実施の形態のレンズ１３は、Ｚ軸方向に円筒軸をもつ円筒レンズとしたが、球面レンズ、あるいは、Ｚ軸方向とＸ軸方向とで曲率の異なるアナモフィックレンズとしてＺ軸方向のライン、あるいは、楕円形状となるようにしてもよい。
【００５２】
なお、上記の各実施の形態の導光体１の上面に形成された斜面１１，１２は平面であったが、緩やかな曲面でもよい。
なお、上記の各実施の形態の斜面１１，１２の傾斜角は、互いに同じであったが、互いに異なる角度にしてもよい。
【００５３】
なお、上記の各実施の形態の側面４，５の焦点距離は、互いに同じであったが、互いに異なる焦点距離としてもよい。すなわちＹＺ面において左右対称形状でなくてもよい。
なお、上記の各実施の形態の側面４，５を放物面としたが、放物面にさらに高次の非球面成分を加えて、光の広がり方を微調整してもよい。
【００５４】
なお、上記の各実施の形態では側面４，５を曲面形状の放物面としたが、直線あるいは折れ線で近似した放物面であってもよい。
なお、上記の各実施の形態の側面プリズム６の斜面は、ＹＺ断面における側面５に沿って曲線となるようにしてもよいし、形状形成の制約で、直線あるいは、折れ線で近似してもよい。側面プリズム７についても同様である。
【００５５】
なお、上記各実施の形態の光源２，２ａ，２ｂのＬＥＤは、赤、青、緑、白などの単色でもよいし、複数の発光色を持ったものでもよい。あるいは、レンズを付加したＬＥＤを用いても良い。
【産業上の利用可能性】
【００５６】
本発明は、均一なライン状の発光を行うと共に見る角度により発光状態が変化する輝点を有する装飾用のライン照明表示を行うことができ、自動車のフロントグリルやＤＲＬ（昼間走行用ライト（daytime running lights））、住宅の装飾用の照明表示などの幅の広い用途に適用できる。
【符号の説明】
【００５７】
１    導光体
２，２ａ，２ｂ    光源
Ｘ    長手方向
Ｚ    長手方向Ｘと交差する幅方向
３    上面
４，５    側面
６，７    側面プリズム（第１反射部）
８    底面
９    底面プリズム（第２反射部）
１０     Ｖ溝（溝部）
１１，１２    Ｖ溝１０を構成する斜面
１３    レンズ
２０    光源２から射出された光線
２１    側面プリズム６で反射した光線
２２    底面プリズム９からの射出光線
２３    Ｙ軸方向に射出する光線
２５    輝点
２６    長手方向Ｘに光量が均一なライン状の範囲
【図２】
2016178046.tif 000003
【図３】
2016178046.tif 000004
【図６】
2016178046.tif 000005
【図８】
2016178046.tif 000006
【図９】
2016178046.tif 000007
【図１６】
2016178046.tif 000008
【図１】
2016178046.tif 000009
【図４】
2016178046.tif 000010
【図５】
2016178046.tif 000011
【図７】
2016178046.tif 000012
【図１０】
2016178046.tif 000013
【図１１】
2016178046.tif 000014
【図１２】
2016178046.tif 000015
【図１３】
2016178046.tif 000016
【図１４】
2016178046.tif 000017
【図１５】
2016178046.tif 000018
【図１７】
2016178046.tif 000019
【図１８】
2016178046.tif 000020